(57)【要約】【課題】伝票使用後に回収されたＩＣタグインレット付伝票回収片からＩＣタグインレットを自動的に分離、回収可能とし、使用済ＩＣタグインレットの回収、再利用を低コストで行えるようにする。【解決手段】少なくとも、伝票回収片、伝票回収片の一方の面に設けられた熱剥離型接着剤層、および熱剥離型接着剤層によって伝票回収片の表面上に保持されたＩＣタグインレットからなるＩＣタグインレット付伝票回収片からＩＣタグインレットを分離、回収する方法が提供される。方法は、（ａ）ＩＣタグインレット付伝票回収片を分離容器内に導入し、加熱しながら攪拌することによって、ＩＣタグインレット、伝票回収片および熱剥離型接着剤の残さを互いに分離するステップと、（ｂ）互いに分離されたＩＣタグインレット、伝票回収片および熱剥離型接着剤の残さの混合物を分離容器から取り出し、ＩＣタグインレットを分別、回収するステップとを含む。【選択図】図１
2005161754.tif 000002
【特許請求の範囲】
【請求項１】
少なくとも、伝票回収片、前記伝票回収片の一方の面に設けられた熱剥離型接着剤層、および前記熱剥離型接着剤層によって前記伝票回収片の表面上に保持されたＩＣタグインレットからなるＩＣタグインレット付伝票回収片から前記ＩＣタグインレットを分離、回収する方法であって、
（ａ）前記ＩＣタグインレット付伝票回収片を分離容器内に導入し、加熱しながら攪拌することによって、前記ＩＣタグインレット、前記伝票回収片および前記熱剥離型接着剤の残さを互いに分離するステップと、
（ｂ）互いに分離された前記ＩＣタグインレット、前記伝票回収片および前記熱剥離型接着剤の残さの混合物を前記分離容器から取り出し、前記ＩＣタグインレットを分別、回収するステップと、
を含んでいることを特徴とする方法。
【請求項２】
前記ステップ（ｂ）は、前記伝票回収片および前記熱剥離型接着剤の残さは通過させるが、前記ＩＣタグインレットは通過させないように機能する篩を備えた篩器を使用して、前記電子タグインレット、前記伝票回収片および前記熱剥離型接着剤の残さの混合物から前記ＩＣタグインレットを分別、回収するステップからなっていることを特徴とする請求項１に記載の方法。
【請求項３】
前記ステップ（ｂ）は、互いに分離された前記ＩＣタグインレット、前記伝票回収片および前記熱剥離型接着剤の残さの混合物を落下させながら、その落下経路を横切る方向から空気流を吹きつけて吹き飛ばし、前記ＩＣタグインレットと前記伝票回収片および前記熱剥離型接着剤の残さの飛散距離の差を利用することによって、前記ＩＣタグインレットを分別、回収するステップからなっていることを特徴とする請求項１に記載の方法。
【請求項４】
前記ステップ（ｂ）は、互いに分離された前記ＩＣタグインレット、前記伝票回収片および前記熱剥離型接着剤の残さの混合物を分別容器に入れて前記分別容器に振動を加え、前記伝票回収片および前記熱剥離型接着剤の残さよりも重い前記ＩＣタグインレットを前記分別容器の下方に集めることにより、前記ＩＣタグインレットを分別、回収するステップからなっていることを特徴とする請求項１に記載の方法。
【請求項５】
前記ステップ（ｂ）は、互いに分離された前記ＩＣタグインレット、前記伝票回収片および前記熱剥離型接着剤の残さの混合物を搬送ラインに沿って実質上一列に整列させて搬送し、搬送される前記ＩＣタグインレット、前記伝票回収片および前記熱剥離型接着剤の残さの列から、ＩＣタグインレット専用リーダを用いて前記ＩＣタグインレットを検出し、検出した前記ＩＣタグインレットを搬送ラインからそらせることにより、前記ＩＣタグインレットを分別、回収するステップからなっていることを特徴とする請求項１に記載の方法。
【請求項６】
少なくとも、伝票回収片、前記伝票回収片の一方の面上に設けられた熱剥離型接着剤層、および前記熱剥離型接着剤層によって前記伝票回収片の表面上に保持されたＩＣタグインレットからなるＩＣタグインレット付伝票回収片から前記ＩＣタグインレットを分離、回収する装置であって、
前記ＩＣタグインレット付伝票回収片を受け入れる分離容器を備え、前記分離容器内に収容された前記ＩＣタグインレット付伝票回収片を加熱しながら攪拌し、前記ＩＣタグインレット、前記伝票回収片および前記熱剥離型接着剤の残さを互いに分離して、前記ＩＣタグインレット、前記伝票回収片および前記熱剥離型接着剤の残さの混合物を生成する分離部と、
前記分離部から前記ＩＣタグインレット、前記伝票回収片および前記熱剥離型接着剤の残さの混合物を受け、前記ＩＣタグインレット、前記伝票回収片および前記熱剥離型接着剤の残さの形状の差異および質量の差異のいずれか一方または両方に基づいて、前記混合物から前記ＩＣタグインレットを分別、回収する分別・回収部と、を有していることを特徴とする装置。
【請求項７】
前記分離部は、
金網から形成された、両端面が閉じた円筒状の前記分離容器と、
前記分離容器をその中心軸のまわりに回転可能に支持する支持手段と、
前記分離容器をその中心軸のまわりに回転させる回転駆動機構と、
前記分離容器の外側に配置され、前記分離容器の内部に向かって熱風を吹き付ける熱風噴射手段と、を備えていることを特徴とする請求項６に記載の装置。
【請求項８】
前記分別・回収部は、
上端面に前記分離部から前記ＩＣタグインレット、前記伝票回収片および前記熱剥離型接着剤の残さの混合物を受ける入口開口を有し、下端面に篩を備えた出口開口を有する篩器と、
前記篩器を振動させる振動機構と、を備え、
前記篩は、前記伝票回収片および前記熱剥離型接着剤の残さは通過させるが、前記ＩＣタグインレットは通過させないように機能するようになっていることを特徴とする請求項６または請求項７に記載の装置。
【請求項９】
前記分別・回収部は、
前記分離部から前記ＩＣタグインレット、前記伝票回収片および前記熱剥離型接着剤の残さの混合物を受けるホッパーと、
前記ホッパーの下側において、前記混合物の落下経路からそれた位置に配置され、前記ホッパーの下端出口から落下する前記混合物に対し前記落下経路を横切る方向から空気流を吹きつける空気噴射手段と、
前記空気噴射手段のさらに下側に配置され、前記空気噴射手段からの空気流によってそれぞれ異なる距離だけ吹き飛ばされた前記ＩＣタグインレット、前記伝票回収片および前記熱剥離型接着剤の残さを受ける分離回収手段と、を備えていることを特徴とする請求項６または請求項７に記載の装置。
【請求項１０】
前記分別・回収部は、
上端面に、前記分離部から前記ＩＣタグインレット、前記伝票回収片および前記熱剥離型接着剤の残さの混合物を受けるための開口を備えた分別容器と、
前記分別容器を振動させる振動手段と、
前記分別容器の上端面開口の近傍に配置され、前記分別容器の外側から前記上端面開口に向けて空気流を吹き付け、前記分別容器の振動によって前記分別容器の上端面開口付近に上昇した前記伝票回収片および前記熱剥離型接着剤の残さを前記分別容器から外側に吹き飛ばす空気噴射手段と、を備えていることを特徴とする請求項６または請求項７に記載の装置。
【請求項１１】
少なくとも、伝票回収片、前記伝票回収片の一方の面上に設けられた熱剥離型接着剤層、および前記熱剥離型接着剤層によって前記伝票回収片の表面上に保持されたＩＣタグインレットからなるＩＣタグインレット付伝票回収片から前記ＩＣタグインレットを分離、回収する装置であって、
前記ＩＣタグインレット付伝票回収片を受け入れる分離容器を備え、前記分離容器内に収容された前記ＩＣタグインレット付伝票回収片を加熱しながら攪拌し、前記ＩＣタグインレット、前記伝票回収片および前記熱剥離型接着剤を互いに分離し、それらを一つずつ排出する分離部と、
前記分離容器から排出される前記ＩＣタグインレット、前記伝票回収片および前記熱剥離型接着剤の残さを、順次、一列に整列させて搬送する搬送手段と、
前記搬送手段の搬送ラインに沿って間隔をあけて配置された複数のＩＣタグインレット検出手段と、
前記ＩＣタグインレット検出手段のそれぞれの搬送ライン下流側に配置され、前記ＩＣタグインレット検出手段によって前記ＩＣタグインレットが検出されたとき、そのＩＣタグインレットを前記搬送ラインから逸らせる逸らせ手段と、
前記逸らせ手段によって前記搬送ラインから逸らされたＩＣタグインレットを回収するＩＣタグインレット回収手段とを備えていることを特徴とする装置。
【請求項１２】
前記分離部は、
円筒形状を有し、中心軸軸が水平方向に対し傾斜するように配置され、上端面側の入口と、下端面側の出口をそれぞれ備えた前記分離容器と、
前記分離容器をその中心軸のまわりに回転可能に支持する支持手段と、
前記分離容器をその中心軸のまわりに回転させる回転駆動機構と、
前記分離容器の外側を取り巻いて配置され、前記分離容器の内部を加熱する加熱手段と、
前記分離容器の内部に配置され、互いに分離された前記ＩＣタグインレット、前記伝票回収片および前記熱剥離型接着剤の残さが前記分離容器の出口に向かって移動する間に一列に整列させる整列手段と、を備えていることを特徴とする請求項１１に記載の装置。
【発明の詳細な説明】
【技術分野】
【０００１】
本発明は、少なくとも、伝票回収片、伝票回収片の一方の面上に設けられた熱剥離型接着剤層、および熱剥離型接着剤層によって伝票回収片の表面上に保持されたＩＣタグインレットからなるＩＣタグインレット付伝票回収片からＩＣタグインレットを分離、回収する方法および装置に関するものである。
【背景技術】
【０００２】
近年、荷物配送の分野において、配送作業を正確かつ迅速に行うために、ＩＣタグインレットを備えた伝票が急速に普及しつつある。この場合、ＩＣタグは高価であるため、配送が完了し、伝票が使用された後は、ＩＣタグインレットを回収し、再使用することが前提とされている。
【０００３】
このため、伝票使用後に、ＩＣタグインレットを簡単かつ確実に回収することが可能な種々のＩＣタグインレット付伝票が提案されている（特許文献１〜２参照）。
そして、これらのＩＣタグインレット付伝票においては、いずれも、伝票回収片にＩＣタグインレットが保持されていて、伝票使用後に、ＩＣタグインレットが伝票回収片とともに回収され、回収された伝票回収片からＩＣタグインレットが専ら手作業で分離され、回収される。
【０００４】
しかしながら、このＩＣタグインレットの分離、回収作業には多大のコストを要し、それによって、使用済ＩＣタグインレットの回収、再利用のコスト低減メリットが著しく減殺され、ＩＣタグの伝票への利用の普及促進の妨げとなっている。
【特許文献１】特開平９−１６７３６号公報
【特許文献２】特開２００１−１８０１６３号公報
【発明の開示】
【発明が解決しようとする課題】
【０００５】
したがって、本発明の課題は、伝票使用後に回収されたＩＣタグインレット付伝票回収片からＩＣタグインレットを自動的に分離、回収可能とし、使用済ＩＣタグインレットの回収、再利用を低コストで行えるようにすることにある。
【課題を解決するための手段】
【０００６】
上記課題を解決するため、第１発明は、少なくとも、伝票回収片、前記伝票回収片の一方の面に設けられた熱剥離型接着剤層、および前記熱剥離型接着剤層によって前記伝票回収片の表面上に保持されたＩＣタグインレットからなるＩＣタグインレット付伝票回収片から前記ＩＣタグインレットを分離、回収する方法であって、
（ａ）前記ＩＣタグインレット付伝票回収片を分離容器内に導入し、加熱しながら攪拌することによって、前記ＩＣタグインレット、前記伝票回収片および前記熱剥離型接着剤の残さを互いに分離するステップと、
（ｂ）互いに分離された前記ＩＣタグインレット、前記伝票回収片および前記熱剥離型接着剤の残さの混合物を前記分離容器から取り出し、前記ＩＣタグインレットを分別、回収するステップと、
を含んでいることを特徴とする方法を構成したものである。
【０００７】
第１発明の構成において、好ましくは、前記ステップ（ｂ）は、前記伝票回収片および前記熱剥離型接着剤の残さは通過させるが、前記ＩＣタグインレットは通過させないように機能する篩を備えた篩器を使用して、前記電子タグインレット、前記伝票回収片および前記熱剥離型接着剤の残さの混合物から前記ＩＣタグインレットを分別、回収するステップからなっている。
また好ましくは、前記ステップ（ｂ）は、互いに分離された前記ＩＣタグインレット、前記伝票回収片および前記熱剥離型接着剤の残さの混合物を落下させながら、その落下経路を横切る方向から空気流を吹きつけて吹き飛ばし、前記ＩＣタグインレットと前記伝票回収片および前記熱剥離型接着剤の残さの飛散距離の差を利用することによって、前記ＩＣタグインレットを分別、回収するステップからなっている。
【０００８】
また好ましくは、前記ステップ（ｂ）は、互いに分離された前記ＩＣタグインレット、前記伝票回収片および前記熱剥離型接着剤の残さの混合物を分別容器に入れて前記分別容器に振動を加え、前記伝票回収片および前記熱剥離型接着剤の残さよりも重い前記ＩＣタグインレットを前記分別容器の下方に集めることにより、前記ＩＣタグインレットを分別、回収するステップからなっている。
また好ましくは、前記ステップ（ｂ）は、互いに分離された前記ＩＣタグインレット、前記伝票回収片および前記熱剥離型接着剤の残さの混合物を搬送ラインに沿って実質上一列に整列させて搬送し、搬送される前記ＩＣタグインレット、前記伝票回収片および前記熱剥離型接着剤の残さの列から、ＩＣタグインレット専用リーダを用いて前記ＩＣタグインレットを検出し、検出した前記ＩＣタグインレットを搬送ラインからそらせることにより、前記ＩＣタグインレットを分別、回収するステップからなっている。
【０００９】
上記課題を解決するため、第２発明は、少なくとも、伝票回収片、前記伝票回収片の一方の面上に設けられた熱剥離型接着剤層、および前記熱剥離型接着剤層によって前記伝票回収片の表面上に保持されたＩＣタグインレットからなるＩＣタグインレット付伝票回収片から前記ＩＣタグインレットを分離、回収する装置であって、前記ＩＣタグインレット付伝票回収片を受け入れる分離容器を備え、前記分離容器内に収容された前記ＩＣタグインレット付伝票回収片を加熱しながら攪拌し、前記ＩＣタグインレット、前記伝票回収片および前記熱剥離型接着剤の残さを互いに分離して、前記ＩＣタグインレット、前記伝票回収片および前記熱剥離型接着剤の残さの混合物を生成する分離部と、前記分離部から前記ＩＣタグインレット、前記伝票回収片および前記熱剥離型接着剤の残さの混合物を受け、前記ＩＣタグインレット、前記伝票回収片および前記熱剥離型接着剤の残さの形状の差異および質量の差異のいずれか一方または両方に基づいて、前記混合物から前記ＩＣタグインレットを分別、回収する分別・回収部と、を有していることを特徴とする装置を構成したものである。
【００１０】
第２発明の構成において、好ましくは、前記分離部は、金網から形成された、両端面が閉じた円筒状の前記分離容器と、前記分離容器をその中心軸のまわりに回転可能に支持する支持手段と、前記分離容器をその中心軸のまわりに回転させる回転駆動機構と、前記分離容器の外側に配置され、前記分離容器の内部に向かって熱風を吹き付ける熱風噴射手段と、を備えている。
また好ましくは、前記分別・回収部は、上端面に前記分離部から前記ＩＣタグインレット、前記伝票回収片および前記熱剥離型接着剤の残さの混合物を受ける入口開口を有し、下端面に篩を備えた出口開口を有する篩器と、前記篩器を振動させる振動機構と、を備え、前記篩は、前記伝票回収片および前記熱剥離型接着剤の残さは通過させるが、前記ＩＣタグインレットは通過させないように機能するようになっている。
【００１１】
また好ましくは、前記分別・回収部は、前記分離部から前記ＩＣタグインレット、前記伝票回収片および前記熱剥離型接着剤の残さの混合物を受けるホッパーと、前記ホッパーの下側において、前記混合物の落下経路からそれた位置に配置され、前記ホッパーの下端出口から落下する前記混合物に対し前記落下経路を横切る方向から空気流を吹きつける空気噴射手段と、前記空気噴射手段のさらに下側に配置され、前記空気噴射手段からの空気流によってそれぞれ異なる距離だけ吹き飛ばされた前記ＩＣタグインレット、前記伝票回収片および前記熱剥離型接着剤の残さを受ける分離回収手段と、を備えている。
また好ましくは、前記分別・回収部は、上端面に、前記分離部から前記ＩＣタグインレット、前記伝票回収片および前記熱剥離型接着剤の残さの混合物を受けるための開口を備えた分別容器と、前記分別容器を振動させる振動手段と、前記分別容器の上端面開口の近傍に配置され、前記分別容器の外側から前記上端面開口に向けて空気流を吹き付け、前記分別容器の振動によって前記分別容器の上端面開口付近に上昇した前記伝票回収片および前記熱剥離型接着剤の残さを前記分別容器から外側に吹き飛ばす空気噴射手段と、を備えている。
【００１２】
上記課題を解決するため、第３発明は、少なくとも、伝票回収片、前記伝票回収片の一方の面上に設けられた熱剥離型接着剤層、および前記熱剥離型接着剤層によって前記伝票回収片の表面上に保持されたＩＣタグインレットからなるＩＣタグインレット付伝票回収片から前記ＩＣタグインレットを分離、回収する装置であって、前記ＩＣタグインレット付伝票回収片を受け入れる分離容器を備え、前記分離容器内に収容された前記ＩＣタグインレット付伝票回収片を加熱しながら攪拌し、前記ＩＣタグインレット、前記伝票回収片および前記熱剥離型接着剤を互いに分離し、それらを一つずつ排出する分離部と、前記分離容器から排出される前記ＩＣタグインレット、前記伝票回収片および前記熱剥離型接着剤の残さを、順次、一列に整列させて搬送する搬送手段と、前記搬送手段の搬送ラインに沿って間隔をあけて配置された複数のＩＣタグインレット検出手段と、前記ＩＣタグインレット検出手段のそれぞれの搬送ライン下流側に配置され、前記ＩＣタグインレット検出手段によって前記ＩＣタグインレットが検出されたとき、そのＩＣタグインレットを前記搬送ラインから逸らせる逸らせ手段と、前記逸らせ手段によって前記搬送ラインから逸らされたＩＣタグインレットを回収するＩＣタグインレット回収手段とを備えていることを特徴とする装置を構成したものである。
第３発明の構成において、好ましくは、前記分離部は、円筒形状を有し、中心軸が水平方向に対し傾斜するように配置され、上端面側の入口と、下端面側の出口をそれぞれ備えた前記分離容器と、前記分離容器をその中心軸のまわりに回転可能に支持する支持手段と、前記分離容器をその中心軸のまわりに回転させる回転駆動機構と、前記分離容器の外側を取り巻いて配置され、前記分離容器の内部を加熱する加熱手段と、前記分離容器の内部に配置され、互いに分離された前記ＩＣタグインレット、前記伝票回収片および前記熱剥離型接着剤の残さが前記分離容器の出口に向かって移動する間に一列に整列させる整列手段と、を備えている。
【発明の効果】
【００１３】
本発明によれば、使用済の伝票から回収されたＩＣタグインレット付伝票回収片から、ＩＣタグインレットを自動的に分離、回収することができ、それによって、分離回収工程を、従来の手作業で行う場合に比べて、低コストで行うことができる。
【発明を実施するための最良の形態】
【００１４】
以下、添付図面を参照して、本発明の好ましい実施例について説明する。図８は、本発明によるＩＣタグインレット付伝票回収片からＩＣタグインレットを分離、回収する方法および装置が適用される、ＩＣタグ付伝票の一例の斜視図であり、図９は、図８に示した伝票の送り状票をめくった状態の斜視図である。図１０は、図８に示した伝票の平面図であり、（Ａ）は送り状票を備えた状態を、（Ｂ）は送り状票が切り取られた状態をそれぞれ示している。また、図１１は、図８のＸ−Ｘ線に沿った断面図である。
【００１５】
図１１を参照して、この実施例では、ＩＣタグ付伝票は感熱複写伝票として形成されており、表面に感熱発色層５２を有しかつ裏面にカーボンインクコーティング層５３を有する第１の基材シート５１と、第２の基材シート５４と、裏面に感圧接着剤層５６および感圧接着剤層５６に貼着された剥離紙５７を備えた第３の基材シート５５からなるタックシート５８と、を有している。
そして、第１の基材シート５１のカーボンインクコーティング層５３と第２の基材シート５４の一面が互いに対向するとともに、第２の基材シート５４の他面とタックシート５８の表面が互いに対向するように配置され、かつそれらの対向する一部分において糊剤５９により接着されている。
そして、第１の基材シート５１表面の感熱発色層５２に熱が加えられると、感熱発色層５２が熱に反応して発色するとともに、第１の基材シート５１裏面のカーボンインクコーティング層５３の熱に反応した部分が溶融し、それに対向する第２の基材シート５４の表面にカーボンインクが融着することによって印刷および複写がなされ得るようになっている。
【００１６】
さらに、図８〜図１０を参照して、第１の基材シート５１における糊剤５９によって接着されない部分は送り状票６２として形成され、表面には送り状欄６５が印刷されて所定の情報が記入され得るようになっている。また、第１の基材シート５１における糊剤５９によって接着された部分の表面には荷札欄６６が印刷され、所定の情報が記入され得るようになっている。
第２の基材シート５４における糊剤５９によって接着されない部分は伝票回収片（回収票）６３（この実施例では、「到着原票」と呼ぶ。）として形成される。伝票回収片（到着原票）６３の表面には到着原票欄６７が印刷され、所定の情報が記入され得るようになっている。伝票回収片（到着原票）６３は、配達確認のために配達業者が必ず回収するものである。
第１の基材シート５１および第２の基材シート５４には、いずれも、糊剤５９により接着された部分と接着されない部分との境界線に沿って、ミシン目加工６４が施されており、それによって、送り状票６２および伝票回収片（到着原票）６３を手で容易に切り取り可能となっている。
【００１７】
図１２は、切り取られた伝票回収片（到着原票）６３を示した図であり、（Ａ）は裏面図、（Ｂ）は（Ａ）のＹ−Ｙ線に沿った断面図である。図１２を参照して、伝票回収片（到着原票）６３の裏面には、ＩＣタグインレット保持シート６９が熱剥離型接着剤７０によって接着されるとともに、伝票回収片（到着原票）６３およびＩＣタグインレット保持シート６９の間に、伝票固有情報および物品管理情報のいずれか一方または両方を非接触方式にて読み書きし得るＩＣタグインレット６８が取り外し可能に保持されている。
【００１８】
なお、本発明が適用されるＩＣタグインレット付伝票回収片の構成は、この実施例に限定されるものではなく、少なくとも、伝票回収片と、伝票回収片の一方の面上に設けられた熱剥離型接着剤層と、熱剥離型接着剤層によって伝票回収片の表面上に保持されたＩＣタグインレットとを備えた構成となっておれば、いかなるものでもよく、例えば、図１２（Ｃ）に示されるように、ＩＣタグインレット６８が熱剥離型接着剤７０によって伝票回収片（到着原票）６３の一方の面に貼着され、さらに、ＩＣタグインレット６８の上に、熱剥離型接着剤７０によって基紙（感熱紙）７１が貼着されるような構成であってもよい。
熱剥離型接着材層に使用される接着剤としては、熱膨張性カプセルを含有する剥離性感圧接着剤や、放射線照射処理によって接着力を低下または消失させうる剥離性感圧接着剤等があげられる。
【００１９】
以下、熱膨張性カプセルを含有する剥離性感圧接着剤について詳細に説明する。
熱膨張性カプセルとは、熱可塑性樹脂を核とし、その内部に該樹脂の軟化点以下の温度でガスを発生する物質を含有し、加熱によって膨張する性質を備えるマイクロカプセルであり、例えば、特開昭５６−６１４６８号公報および特開平５−４３８５１号公報に記載された方法によって製造され得る。
ガス発生物質としては、ブタン、イソブタン、ペンタン、ネオペンタン、ヘキサンなどの低沸点炭化水素や、炭酸アンモニウム、炭酸水素アンモニウム、炭酸水素ナトリウム、亜硝酸アンモニウム、水素化ホウ素ナトリウム、アジ化ナトリウムなどの無機系発泡剤、アゾビスイソブチロニトリル、アゾジカルボン酸アミド、アリルビス（スルホニルヒドラジド）、４，４’−オキシビス（ベンゼンスルホニルヒドラジド）、ｐ−トルイレンスルホニルセミカルバジド等の有機系発泡剤が例示される。
【００２０】
熱膨張性カプセルの製造に用いられる熱可塑性樹脂としては、アクリル酸、アクリロニトリル、メチルアクリレート、エチルアクリレート、プロピルアクリレート、ブチルアクリレート、ラウリルアクリレートなどのアクリル酸系モノマー、メタクリル酸、メタクリロニトリル、メチルメタクリレート、エチルメタクリレートなどのメタクリル酸系モノマー、スチレン、ｏ−メチルスチレン、ｍ−メチルスチレン、p−メチルスチレン、エチルスチレン、α−クロロスチレン等のアルケニル芳香族モノマー、塩化ビニル、塩化ビニリデン、臭化ビニル、酢酸ビニル、酪酸ビニル、ステアリン酸ビニル等のビニル系モノマーを重合させた樹脂が例示される。また、上記モノマーの複数種を共重合させた樹脂、あるいは、イタコン酸、マレイン酸、フマル酸等の変性剤を添加して共重合させた変性樹脂であってもよい。
好ましくは、ポリアクリル酸エステル、アクリル酸エステル−アクリロニトリル共重合体、メタクリル酸エステル−アクリル酸共重合体などのアクリル酸系ポリマー、塩化ビニリデン−メタクリル酸エステル共重合体、塩化ビニリデン−アクリロニトリル共重合体などの塩化ビニリデン系ポリマー、ポリスチレン、スチレン−アクリル酸エステル共重合体などのスチレン系ポリマーが例示される。
このような熱膨張性カプセルの例としては、松本油脂社製のマツモトマイクロスフェアＦ−３０、Ｆ−５０、Ｆ−８０Ｓ、Ｆ−８５等、または、日本フェライト社製のＥＸＰＡＮＣＥＬ−０９１、同じく４６１、５５１、６４２等が市販されており、適宜選択して好適に用いることができる。
【００２１】
感圧接着剤成分としては、特に制限は設けられず、公知のものから適宜選択すればよいが、例えば、アクリル酸アルキルエステル共重合体、メタクリル酸アルキルエステル共重合体、アクリル−スチレン共重合体などのアクリル系、天然ゴム、再生ゴム、スチレン−ブタジエン共重合体ゴム、アクリロニトリル−ブタジエン共重合体ゴム、ポリイソブチレン、スチレン−イソプレン−スチレン共重合体、ポリイソプレンなどのゴム系、ポリビニルエーテル系、ウレタン系、シリコーン系など、合成または天然の樹脂類やゴム類等を用いることができ、エマルジョン型、溶剤型、無溶媒型が適宜選択される。中でもアクリル系のものが好ましい。
さらに、前記樹脂を主剤として、これに、ロジン、エステルガム、石油樹脂、フェノール樹脂、クマロン−インデン樹脂などの粘着補助剤、フタル酸エステル、不乾性植物油、鉱物油、ラノリンなどの可塑剤、亜鉛華、酸化マグネシウム、炭酸カルシウム、クレー、水酸化アルミニウム、シリカ、カーボンブラック、酸化チタン、顔料などの充填剤、また、酸化防止剤、老化防止剤などのその他の添加物を適宜配合した粘着性組成物を用いてもよい。
特に、イソシアネート化合物、エポキシ化合物、金属キレート化合物などを架橋剤として併用したアクリル系粘着剤が、カード使用時のラベル耐久性やラベル端面からの感圧接着剤のはみ出し（ウーズ）が少なく好ましい。
【００２２】
次に、本発明による方法について説明する。図１は、本発明の１実施例によるＩＣタグインレット付伝票回収片からＩＣタグインレットを分離、回収する方法のフロー図である。図１を参照して、本発明の方法によれば、まず最初、ＩＣタグインレット付伝票回収片を分離容器内に導入し、加熱しながら攪拌することによって、ＩＣタグインレット、伝票回収片および熱剥離型接着剤の残さを互いに分離するステップが実行される（図１のステップ（ａ））。次に、互いに分離されたＩＣタグインレットおよび伝票回収片の混合物を分離容器から取り出し、ＩＣタグインレットを分別、回収するステップが実行される（図１のステップ（ｂ））。この際の加熱温度については、ＩＣタグインレットのリユースを考慮して、分離容器内雰囲気が８０℃〜１８０℃の範囲に、より好ましくは９０℃〜１５０℃の範囲に維持されるように設定される。８０℃未満では、短時間（５分程度）で効率的に分離させることが難しくなる。また、１８０℃を越えると、ＩＣタグインレットの基材に使用されるＰＥＴ等の合成樹脂材料、アンテナ回路および各種接着剤等の熱による損傷、劣化が無視できなくなり、リユースの回数等に影響を及ぼす可能性が大きくなる。総合的には、ＩＣタグインレットの材料の種類や、使用する熱剥離型接着剤の種類、仕様によって、この加熱温度が設定される。
【００２３】
ステップ（ｂ）は、例えば、伝票回収片および熱剥離型接着剤の残さは通過させるが、ＩＣタグインレットは通過させないように機能する篩を備えた篩器を使用して、電子タグインレットおよび伝票回収片の混合物からＩＣタグインレットを分別、回収することによって実行される（図２のステップ（ｂ１））。
あるいは、ステップ（ｂ）を、互いに分離されたＩＣタグインレット、伝票回収片および熱剥離型接着剤の残さの混合物を落下させながら、その落下経路を横切る方向から空気流を吹きつけて吹き飛ばし、ＩＣタグインレットと伝票回収片および熱剥離型接着剤の残さの飛散距離の差を利用することによって、ＩＣタグインレットを分別、回収することによって実行される（図２のステップ（ｂ２））。
【００２４】
あるいは、ステップ（ｂ）は、互いに分離されたＩＣタグインレット、伝票回収片および熱剥離型接着剤の残さの混合物を分別容器に入れて分別容器に振動を加え、伝票回収片および熱剥離型接着剤の残さよりも重いＩＣタグインレットを分別容器の下方に集めることにより、ＩＣタグインレットを分別、回収することによって実行される（図２のステップ（ｂ３））。
または、ステップ（ｂ）は、互いに分離されたＩＣタグインレット、伝票回収片および熱剥離型接着剤の残さの混合物を搬送ラインに沿って実質上一列に整列させて搬送し、搬送されるＩＣタグインレット、伝票回収片および熱剥離型接着剤の残さの列から、ＩＣタグインレット専用リーダを用いてＩＣタグインレットを検出し、検出したＩＣタグインレットを搬送ラインからそらせることにより、ＩＣタグインレットを分別、回収することによって実行される（図２のステップ（ｂ４））。
【００２５】
次に、本発明による装置について説明する。図３は、本発明の１実施例によるＩＣタグインレット付伝票回収片からＩＣタグインレットを分離、回収する装置の概略構成を示した図である。図３を参照して、本発明の装置は、ＩＣタグインレット付伝票回収片を受け入れる分離容器１を備えている。分離容器１は、円筒形状を有し、中心軸が水平方向に対し傾斜するように配置され、上端面側の入口１ａと、下端面側の出口１ｂをそれぞれ備えている。分離容器１は、上端部および下端部を、それぞれ、ころがり軸受２ａ、２ｂによって中心軸のまわりに回転可能に支持されている。ころがり軸受２ａ、２ｂは、分離容器１の外周に沿って間隔をあけて、かつ分離容器１の中心軸に平行に配置された複数本の接触ロールを備えている。さらに、ころがり軸受２ａ、２ｂのロールは、適当な駆動モータ（図示はされない）によって、その軸のまわりに同一の向きに回転駆動されるようになっており、それによって、分離容器１はその中心軸のまわりに回転駆動されるようになっている。
【００２６】
分離容器１の入口１ａには、処理すべきＩＣタグインレット付伝票回収片を順次供給するＩＣタグインレット付伝票回収片供給装置６が配置されている。ＩＣタグインレット付伝票回収片供給装置６は、ＩＣタグインレット付伝票回収片７を、順次、空気流によって分離容器の入口１ａ内に吹き出される。
分離容器１は、少なくともその上側半分、この実施例ではそのほぼ全体を、適当な加熱装置５によって取り巻かれ、分離容器１の内部が加熱装置５によって加熱されるようになっている。
分離容器１の内部には、分離容器１の内径より小さい外径を有する複数枚の円板３ａ〜３ｄが、分離容器１の軸方向に間隔をあけて、かつ分離容器１に同心的に配置され、その中心を貫通する支持ロッド４に固定されている。支持ロッド４の両端は、分離容器１の内壁面に固定されている。分離容器１の内壁面と、各円板３ａ〜３ｄの外周面との間の間隙は、加熱、攪拌され、互いに分離されたＩＣタグインレット８、伝票回収片９および熱剥離型接着剤の残さ１０が１つずつ通過し得るような大きさに設定されている。そして、互いに分離されたＩＣタグインレット８、伝票回収片９および熱剥離型接着剤の残さ１０が分離容器１内を出口１ｂに向かって移動する間に、一列に整列せしめられ、分離容器１の出口１ｂから一つずつ排出される。なおこの場合、分離容器１の内周面に、約１０ｃｍピッチの螺旋状の溝を形成しておけば、分離容器１の回転につれての、ＩＣタグインレット８、伝票回収片９および熱剥離型接着剤の残さ１０の出口１ｂへ向けての整列運動をより円滑に行うことができ、より好ましい。
【００２７】
分離容器１の出口１ｂには、シュート１１を介して、主ベルトコンベヤ１２の搬送面の上流側端が接続され、分離容器１から排出されたＩＣタグインレット８、伝票回収片９および熱剥離型接着剤の残さ１０が、主ベルトコンベヤ１２の搬送面上を、順次、一列に整列せしめられて搬送される。この実施例では、主ベルトコンベヤ１２のベルトは、メッシュ状に形成され、空気流が円滑に通過し得るようになっている。
主ベルトコンベヤ１２の搬送面から上方に間隔をあけて、かつ搬送面の長さ方向に沿って間隔をあけて、複数のＩＣタグ用リーダ／ライタ１５ａ〜１５ｃが配置される。リーダ／ライタ１５ａ〜１５ｃは、主ベルトコンベヤ１２によって搬送されるＩＣタグインレット８に記録されたデータを無線で読み取ることにより、ＩＣタグインレット８を検出するようになっている。各リーダ／ライタ１５ａ〜１５ｃの下流側には、補助ベルトコンベヤ１３ａ〜１３ｃが、主ベルトコンベヤ１２の下流側に向かって上向きに傾斜して配置され、主ベルトコンベヤ１２の搬送ラインに対する分岐搬送ラインを形成している。
補助ベルトコンベヤ１３ａ〜１３ｃの下端は、主ベルトコンベヤ１２の搬送面から、ＩＣタグインレット８、伝票回収片９および熱剥離型接着剤の残さ１０が通過し得る間隔をあけて配置される。
【００２８】
主ベルトコンベヤ１２の搬送ラインの最上流側に配置された補助ベルトコンベヤ１３ａの上端と、その下流側に隣接する補助ベルトコンベヤ１３ｂの搬送面の中間部の間には、プレートから形成された補助搬送路１８が設けられ、また、補助ベルトコンベヤ１３ｂの上端と、その下流側に隣接する最下流側の補助ベルトコンベヤ１３ｃの搬送面の中間部の間にも、プレートから形成された補助搬送路１８が設けられる。さらに、最下流側の補助ベルトコンベヤ１３ｃの上端は、ＩＣタグインレット回収容器１６の上端開口に接続される。それによって、主ベルトコンベヤ１２の搬送ラインから逸らされたＩＣタグインレットが、補助ベルトコンベヤ１３ａ〜１３ｃ、および補助搬送路１８を通じてＩＣタグインレット回収容器１６内に搬送されるようになっている。
主コンベヤベルト１２の下流端には、伝票回収片／熱剥離型接着剤残さ回収容器１７の上端開口が接続されている。
【００２９】
補助ベルトコンベヤ１３ａ〜１３ｃのそれぞれの上流側に隣接する位置には、主ベルトコンベヤ１２の上側ベルト部分の下側に、空気噴出ノズル１４ａ〜１４ｃが配置されている。さらに、リーダ／ライタ１５ａ〜１５ｃによってＩＣタグインレット８が検出されたとき、そのすぐ下流側にある空気噴出ノズル１４ａ〜１４ｃを作動させて、検出されたＩＣタグインレット８を持ち上げ、関係する補助ベルトコンベヤ１３ａ〜１３ｃによって搬送されるようにすることにより、当該ＩＣタグインレット１０を回収する制御部１９が備えられている。こうして、ＩＣタグインレット８は、ＩＣタグインレット回収容器１６に分別、回収される一方、伝票回収片９および熱剥離型接着剤の残さ１０は、伝票回収片／熱剥離型接着剤残さ回収容器１７に回収される。
【００３０】
図４および図５は、本発明の別の実施例によるＩＣタグインレット付伝票回収片からＩＣタグインレットを分離、回収する装置の概略構成を示したものであり、図４は装置の分離部を、図５は装置の分別・回収部をそれぞれ示したものである。
この実施例において、装置は、ＩＣタグインレット付伝票回収片を受け入れる分離容器２２を備え、分離容器２２内に収容されたＩＣタグインレット付伝票回収片２３を加熱しながら攪拌し、ＩＣタグインレット、伝票回収片および熱剥離型接着剤の残さを互いに分離して、ＩＣタグインレット、伝票回収片および熱剥離型接着剤の残さの混合物を生成する分離部２０と、分離部２０からＩＣタグインレット、伝票回収片および熱剥離型接着剤の残さの混合物を受け、ＩＣタグインレット、伝票回収片および熱剥離型接着剤の残さの形状の差異および質量の差異のいずれか一方または両方に基づいて、混合物からＩＣタグインレットを分別、回収する分別・回収部２１とを有している。
【００３１】
図４を参照して、分離部２０は、金網から形成された、両端面が閉じた円筒状の分離容器２２を備えている。分離容器２２の両端面にはその中心に回転軸２４ａ、２４ｂが突設され、分離容器２２は、ハウジング２６に設けられた軸受２５ａ、２５ｂに中心軸のまわりに回転可能に支持されている。ハウジング２６には、モータ２７が備えられ、モータ２７の駆動軸２７ａが、分離容器２２の一方の回転軸２４ｂに連結され、モータ２７の駆動により、分離容器２２がその中心軸のまわりに回転せしめられるようになっている。
さらに、ハウジング２６内には、送風機３０が配置され、送風機３０から送出された空気は、送風パイプ３１を通じてヒータ２９に供給され、ヒータ２９によって加熱された空気は、送風パイプ３１を通じて、分離容器２２の下側位置に配置された複数の熱風噴射ノズル２８から分離容器２２の内部に向かって噴出されるようになっている。分離容器２２が回転せしめられながら、熱風噴射ノズル２８から分離容器２２の内部に熱風が吹き付けられることにより、分離容器２２内に収容されたＩＣタグインレット付伝票回収片２３が加熱、攪拌され、ＩＣタグインレット、伝票回収片および熱剥離型接着剤の残さに分離される。
【００３２】
図５（Ａ）を参照して、分別・回収部２１は、上端面に分離部２０からＩＣタグインレット３６、伝票回収片３７および熱剥離型接着剤の残さ３８の混合物を受ける入口開口を有し、下端面に篩３３を備えた出口開口を有する篩器３２と、篩器３２を横方向に振動させる公知の振動機構３５とを備えている。篩３３は、伝票回収片３７および熱剥離型接着剤の残さ３８は通過させるが、ＩＣタグインレット３６は通過させないように機能するようになっている。こうして、篩器３２が振動機構３５によって振動せしめられることにより、篩３３から伝票回収片３７および熱剥離型接着剤の残さ３８が落下し、ＩＣタグインレット３６のみが篩器３２内に残され、ＩＣタグインレット３６が分別、回収される。
図５（Ｂ）は、分別・回収部の変形例を示した上面図である。この変形例では、円筒形の篩器３２が、偏心軸３９のまわりに回転可能に支持され、さらに、篩器３２の底面には同心的にプーリ４０が固定されている。さらに、モータ４１が備えられ、モータ４１の駆動軸４２にはプーリ４３が取付けられ、篩器３２のプーリ４０およびモータ４１のプーリ４３の間にはベルト４４が張られている。こうして、モータが回転駆動すると、篩器３２が偏心運動を行い、その結果、図５（Ａ）の場合と同様、篩３３から伝票回収片３７および熱剥離型接着剤の残さ３８が落下する。
【００３３】
図６は、分別・回収部の変形例を示したものである。図６を参照して、分別・回収部は、分離部からＩＣタグインレット８３、伝票回収片８４および熱剥離型接着剤の残さ８５の混合物を受けるホッパー８０を備えている。ホッパー８０の下側には、混合物の落下経路からそれた位置に空気噴射ノズル８１が配置され、ホッパー８０の下端出口から落下する混合物に対し落下経路を横切る方向から空気流を吹きつけるようになっている。空気噴射ノズル８１のさらに下側には分離回収容器８２が配置され、空気噴射ノズル８１からの空気流によってそれぞれ異なる距離だけ吹き飛ばされたＩＣタグインレット８３、伝票回収片８４および熱剥離型接着剤の残さ８５を受けるようになっている。この変形例においても、図５の実施例の場合と同様の効果が得られる。
【００３４】
図７は、分別・回収部の別の変形例を示したものである。図７を参照して、分別・回収部は、上端面に、分離部からＩＣタグインレット８９、伝票回収片９０および熱剥離型接着剤の残さ９１の混合物を受けるための開口を備えた分別容器８６を備えている。分別容器８６は、上下振動を発生させることができる公知の振動装置８７に支持されている。また、分別容器８６の上端面開口の近傍には空気噴射ノズル８８が配置されている。そして、分別容器８６が振動装置８７によって上下に振動せしめられるとともに、空気噴射ノズル８８から分別容器８６の外側から容器の上端面開口に向けて空気流が吹き付けられ、分別容器８６の振動によって分別容器８６の上端面開口付近に上昇した伝票回収片９０および熱剥離型接着剤の残さ９１が分別容器８６から外側に吹き飛ばされるようになっている。この変形例においても、図５の実施例の場合と同様の効果が得られる。
【図面の簡単な説明】
【００３５】
【図１】本発明の１実施例によるＩＣタグインレット付伝票回収片からＩＣタグインレットを分離、回収する方法のフロー図である。
【図２】図１のフロー図におけるステップ（ｂ）の手順の具体例を示したフロー図である。
【図３】本発明の１実施例によるＩＣタグインレット付伝票回収片からＩＣタグインレットを分離、回収する装置の概略構成を示した図である。
【図４】本発明の別の実施例によるＩＣタグインレット付伝票回収片からＩＣタグインレットを分離、回収する装置の分離部を示した図である。
【図５】本発明の別の実施例によるＩＣタグインレット付伝票回収片からＩＣタグインレットを分離、回収する装置の分別・回収部を示した図である。
【図６】図５の分別・回収部の変形例を示した図である。
【図７】図５の分別・回収部の別の変形例を示した図である。
【図８】本発明によるＩＣタグインレット付伝票回収片からＩＣタグインレットを分離、回収する方法および装置が適用される、ＩＣタグ付伝票の一例の斜視図である。
【図９】図８に示した伝票の送り状票をめくった状態の斜視図である。
【図１０】図８に示した伝票の平面図であり、（Ａ）は送り状票を備えた状態を、（Ｂ）は送り状票が切り取られた状態をそれぞれ示している。
【図１１】図８のＸ−Ｘ線に沿った断面図である。
【図１２】切り取られた伝票回収片を示した図であり、（Ａ）は裏面図、（Ｂ）は（Ａ）のＹ−Ｙ線に沿った断面図であり、（Ｃ）は、伝票回収片の変形例を示す（Ｂ）に類似の断面図である。
【符号の説明】
【００３６】
１  分離容器
１ａ  入口
１ｂ  出口
２ａ、２ｂ  ころがり軸受
３ａ〜３ｄ  円板
４  支持ロッド
５  加熱装置
６  ＩＣタグインレット付伝票回収片供給装置
７  ＩＣタグインレット付伝票回収片
８  ＩＣタグインレット
９  伝票回収片
１０  熱剥離型接着剤残さ
１１  シュート
１２  主ベルトコンベヤ
１３ａ〜１３ｃ  補助ベルトコンベヤ
１４ａ〜１４ｃ  空気噴出ノズル
１５ａ〜１５ｃ  ＩＣタグ用リーダ／ライタ
１６  ＩＣタグインレット回収容器
１７  伝票回収片／熱剥離型接着剤残さ回収容器
１８  補助搬送路
１９  制御部
【図１】
2005161754.tif 000003
【図２】
2005161754.tif 000004
【図３】
2005161754.tif 000005
【図４】
2005161754.tif 000006
【図５】
2005161754.tif 000007
【図６】
2005161754.tif 000008
【図７】
2005161754.tif 000009
【図８】
2005161754.tif 000010
【図９】
2005161754.tif 000011
【図１０】
2005161754.tif 000012
【図１１】
2005161754.tif 000013
【図１２】
2005161754.tif 000014